(57)【要約】【課題】  少数のＬＥＤランプで展示スペースを均一に照明することができる自動販売機の照明装置を提供する。【解決手段】  照明装置４０は、導光板４１の裏面のＬＥＤランプ４３から遠くて光量が少ない位置には、ＬＥＤランプ４３からの光の反射光を発生する溝４４を設けて形状面積固定で形状ピッチＰの小さい高拡散反射領域４５を形成し、ＬＥＤランプ４３から近くて光量が多い位置には溝４４を設けて形状面積固定で形状ピッチＰの大きい低拡散反射領域４７を形成し、ＬＥＤランプ４３から中間の距離で光量が中の位置には溝４４を設けて形状面積固定で形状ピッチＰが中の中拡散反射領域４６を形成する。【選択図】      図２
2007025990.tif 000002
【特許請求の範囲】
【請求項１】
所定の指向特性を有するＬＥＤと、
前記ＬＥＤからの光を端面から導入し、前記指向特性に応じた前記光の拡散反射領域を表面あるいは裏面に形成した導光板とを備えたことを特徴とする自動販売機の照明装置。
【請求項２】
前記導光板は、遮光板を介して併設された複数の導光板であり、
前記ＬＥＤは、前記複数の導光板の端面に光を入射する複数のＬＥＤであることを特徴とする請求項１に記載の自動販売機の照明装置。
【請求項３】
前記複数のＬＥＤは、同色または異なる色を発光する複数のＬＥＤであることを特徴とする請求項２に記載の自動販売機の照明装置。
【発明の詳細な説明】
【技術分野】
【０００１】
本発明は、発光ダイオード（ＬＥＤ）ランプを光源として用いる自動販売機の照明装置に関し、特に、少数の光源で展示スペースを均一に照明することができる自動販売機の照明装置に関する。
【背景技術】
【０００２】
従来から、自動販売機の照明装置の光源としては、蛍光灯が広く用いられている。しかし、蛍光灯は長寿命化によるメンテナンス費用の低減や、廃棄処理による環境汚染（水銀を構成材料として使用しているため）などの解消すべき問題が存在している。そのような問題を解消するために、蛍光灯に代えてＬＥＤ素子およびパッケージ（以下、「ＬＥＤランプ）という。）を光源として用いることが考えられている。
【０００３】
このＬＥＤランプを光源として用いるようにした自動販売機として、商品見本を照明する光源を複数のＬＥＤランプにより構成して、各ＬＥＤランプから発せられた白色光で商品見本を照明するようにしたものが知られている（例えば、特許文献１参照。）
【０００４】
また、ＬＥＤランプを光源として用いるようにした自動販売機として、透光性を有し微小な凹部からなる反射ドットを表面あるいは裏面に複数形成した導光板の側面にＬＥＤランプからなる光源を配設し、反射ドットで光源からの光を反射させて反射ドット形成面と反対面に光を放射する発光器を、自動販売機内に設置された透光性を有する商品見本内に収納し内部から照明するようにしたものが知られている（例えば、特許文献２参照。）
【０００５】
また、ＬＥＤランプを光源として用いるようにした自動販売機として、外扉前面に設けられ、商品見本を展示するとともに商品の情報または広告を示すポスターパネルを展示する展示空間と、商品見本およびポスターパネルとを視認可能に形成された電照板と、展示空間の奥側に配置され、ＬＥＤランプを光源として面発光することにより、商品見本およびポスターパネルを背後から照明する面発光装置とを備えたものが知られている（例えば、特許文献３参照。）
【特許文献１】特開２００１−２８３３１０号公報（図３）
【特許文献２】特開２００３−１８７３１１号公報（図１）
【特許文献３】特開２００２−３５８５６０号公報（図１）
【発明の開示】
【発明が解決しようとする課題】
【０００６】
しかし、特許文献１の自動販売機によると、展示スペースに設置された商品見本を照明する照明部を多数のＬＥＤランプにより構成しているだけでなく、図１２（ａ）、（ｂ）に示すように、点光源であるＬＥＤランプ１０１により、商品見本１０３をダイレクトに照明する構造になっているため、ＬＥＤランプ１０１の指向特性により入光しない領域１０４が広く生じて商品見本１０３に入光する範囲が狭くなるので、効率が悪くなる。
【０００７】
特許文献２の自動販売機によると、展示スペースに設置された商品見本を照明する照明部を多数のＬＥＤランプにより構成しているだけでなく、単一形状の凹部ドットをＬＥＤランプの指向特性に関係なく単一ピッチに並べただけの導光板を使用するため、面発光させた場合、光の指向特性の制御ができないので、光源の近い位置のみが明るくなってしまい遠い位置は暗くなってしまう。
【０００８】
特許文献３の自動販売機によると、展示スペースに設置された商品見本を照明する照明部を多数のＬＥＤランプにより構成しているだけでなく、面発光装置を半透明板を用いて面発光させる構成となっているので、光の指向特性を半透明板の色彩の濃度だけで調整しなければならず、意図的に明るさや色むらを制御するには複雑な構成となる。
【０００９】
すなわち、従来の自動販売機によると、ＬＥＤランプの点光源に基づいた指向特性を有するため、被照明部を広範囲に均一に照明できないので、このような要望を満足させるには、多数のＬＥＤランプを用いる必要がある。従って、ＬＥＤランプで面発光を行うことが不可能となり、ＬＥＤランプのメリットである省エネルギー化、省スペース化および低コスト化を実現することができない。
【００１０】
従って、本発明の目的は、少数の光源で展示スペースを均一に照明することができる自動販売機の照明装置を提供することにある。
【課題を解決するための手段】
【００１１】
本発明は、上記目的を達成するため、所定の指向特性を有するＬＥＤと、前記ＬＥＤからの光を端面から導入し、前記指向特性に応じた前記光の拡散反射領域を表面あるいは裏面に形成した導光板とを備えたことを特徴とする自動販売機の照明装置を提供する。
【００１２】
上記構成によれば、ＬＥＤから導光板の端面に光を入射すると、導光板の端面に入射した光は、導光板の内部を全反射しつつ伝播し、拡散反射領域で拡散されて導光板の表面から出射される。拡散反射領域をＬＥＤの指向特性に応じたものとすることにより、光量が少ない領域では拡散する光量が多くなり、光量が多い領域では拡散する光量が少なくなり、全体として均一な拡散の光量となり、均一な面発光が得られる。
【００１３】
拡散反射領域は、導光板の表面あるいは裏面に複数の凸部あるいは凹部を形成することにより構成することができる。伝播した光量が少ない領域には、拡散光量が多くなるように凸部あるいは凹部の大きさ（面積）は一定でピッチを小さくし、光量が多い領域には、拡散光量が少なくなるように凸部の大きさ（面積）は一定でピッチを大きくしてもよい。また、伝播した光量が少ない領域には、拡散光量が多くなるように凸部あるいは凹部のピッチは一定で大きさ（面積）を大きくし、光量が多い領域には、拡散光量が少なくなるように凸部あるいは凹部のピッチは一定で大きさ（面積）を小さくしてもよい。また、凸部あるいは凹部の大きさ（面積）とピッチの組み合わせにより、拡散特性を制御してもよい。また、拡散反射領域は、拡散シートを導光板に貼り付けたものでもよい。
【００１４】
ＬＥＤは、単一のＬＥＤ素子を樹脂モールドしたＬＥＤランプでもよく、複数のＬＥＤ素子を樹脂モールドしたＬＥＤランプでもよい。複数のＬＥＤ素子は、Ｒ，Ｇ，Ｂ等のように異なる色で発光するものを用いることができる。
【００１５】
前記導光板は、遮光板を介して併設された複数の導光板から構成し、前記ＬＥＤは、前記遮光板および反射板が設けられていない前記複数の導光板の端面に光を入射する複数のＬＥＤから構成してもよい。これにより、各導光板に導入した光が混ざらないため、各々独立したディスプレイが可能となる。
【００１６】
前記複数のＬＥＤは、同色または異なる色を発光する複数のＬＥＤとしてもよい。これにより、カラフルな表示が可能となる。
【００１７】
前記複数の導光板の配列方法は、様々な態様が考えられる。例えば、左右方向や上下方向、さらに上下左右方向に配置することも可能である。また、複数の導光板がそれぞれ円形状から構成してもよい。
【発明の効果】
【００１８】
本発明の発光装置によれば、単一のＬＥＤで均一な面発光が得られるので、少数の光源で展示スペースを均一に照明することができる。
【発明を実施するための最良の形態】
【００１９】
［第１の実施の形態］
図１は、本発明の第１の実施の形態に係る照明装置を適用した自動販売機を示す斜視図である。この自動販売機１は、コーヒー、コーラ、ジュース、ウーロン茶などの多種類の飲料を硬貨や紙幣の投入に応じて自動販売するものであり、内部に多種類の商品をストックしている。自動販売機１は、略箱型状の自動販売機本体２と、この自動販売機本体２の前面カバーとしての透明パネル３１の内側に展示スペース３２が確保されている主扉３を備えている。
【００２０】
主扉３は、自動販売機本体２の前面に蝶着されているために開閉でき、サンプル４の交換、商品の補充、商品の入れ替えなどのときに開閉される。この主扉３は、紙幣および硬貨を投入する現金投入部７と、釣銭を返却する釣銭返却口１０と、商品を取り出すための商品販売口１２と、広告などを表示する広告表示板１５とを備えている。
【００２１】
展示スペース３２には、サンプル４を載置するサンプル台１６が３段設けられている。このサンプル台１６の前面には、ＣＯＬＤ、ＨＯＴなどの商品の種類や価格などを表示したサブパネル５が設けられ、透明パネル３１の表面には、商品を選択する選択ボタン６が設けられている。展示スペース３２には、展示スペース３２内を照明する照明装置４０を備えている。
【００２２】
図２は、照明装置４０を示し、（ａ）は正面図、（ｂ）は（ａ）のＡ−Ａ線に沿う断面図、（ｃ）は（ｂ）の高拡散反射領域の構造を示す断面図、（ｄ）は（ｂ）の中拡散反射領域の構造を示す断面図、（ｅ）は（ｂ）の低拡散反射領域の構造を示す断面図である。この照明装置４０は、樹脂およびガラス材等からなる導光板４１と、導光板４１の下部に設けられた１個のＬＥＤランプ４３とを備えている。
【００２３】
ＬＥＤランプ４３は、赤（Ｒｅｄ）色系の光を発光する赤色系ＬＥＤランプ、緑（Ｇｒｅｅｎ）色系の光を発光する緑色系ＬＥＤランプ、青（Ｂｌｕｅ）色系の光を発光する青色系のＬＥＤランプ、白色系のＬＥＤランプなどの中から任意のものを選ぶことができる。
【００２４】
図３は、ＬＥＤランプ４３の一般的指向特性の一例を示す。本実施の形態では、同図に示す指向特性を考慮して、導光板４１の裏面のＬＥＤランプ４３からの光量が少ない領域に、高拡散反射領域４５を形成し、ＬＥＤランプ４３からの光量が中程度の領域に、中拡散反射領域４６を形成し、ＬＥＤランプ４３からの光量が多い領域に、低拡散反射領域４７を形成している。
【００２５】
高拡散反射領域４５、中拡散反射領域４６および低拡散反射領域４７は、それぞれ直径が同一の複数の円柱状の突部４４を突設して形成されており、突部４４間のピッチＰを高拡散反射領域４５では最も小さく、中拡散反射領域４６では中程度であり、低拡散反射領域４７では最も大きくなっている。
【００２６】
このように導光板４１の裏面４１ａを加工することにより、導光板４１のＬＥＤランプ４３からの光量の違いに基づく発光バランスをとるように図られている。従って、導光板４１の全表面からは、ＬＥＤランプ４３からの距離に関係なく均一な光が出射される。一方、導光板４１の表面には、広告シート４８が取り付けられる。なお、高拡散反射領域４５、中拡散反射領域４６および低拡散反射領域４７を形成するための突部４４は、導光板４１の裏面４１ａに限ることなく、表面側に形成するようにしてもよい。
【００２７】
次に、第１の実施の形態の動作を説明する。図示しない電源スイッチがオンになると、照明装置４０に電源が供給され、ＬＥＤランプ４３が点灯する。ＬＥＤランプ４３の発光光は、端面４２ａから導光板４１に入射され、導光板４１中を反射しながら進行する。進行した光は、複数の突部４４のピッチＰの小さい高拡散反射領域４５、複数の突部４４のピッチＰが中位の中拡散反射領域４６、複数の突部４４のピッチＰの大きい低拡散反射領域４７により進行方向を変えられて拡散反射光となる。
【００２８】
高拡散反射領域４５に進行した光は、複数の突部４４のピッチＰの小さい高拡散反射領域４５により反射されるので反射光量は多くなる。また、低拡散反射領域４７に進行した光は、複数の突部４４のピッチＰが大きい低拡散反射領域４７により反射されるので反射光量は少なくなる。また、中拡散反射領域４６に進行した光は、複数の突部４４のピッチＰが中位の中拡散反射領域４６により反射されるので反射光量は中程度となる。従って、導光板４１の全表面からは、ＬＥＤランプ４３からの距離に関係なく、発光バランスのとれた均一な光が出射されるので、表示内容を効果的に伝達することができる。
【００２９】
（第１の実施の形態の効果）
第１の実施の形態によれば、以下の効果を得ることができる。
（イ）導光板４１の裏面４１ａにＬＥＤランプ４３の指向特性に応じて高拡散反射領域４５、中拡散反射領域４６および低拡散反射領域４７を形成したので、導光板４１の全表面からは、ＬＥＤランプ４３からの距離に関係なく均一な光を出射させることができる。
（ロ）照明装置４０の光源としては少数のＬＥＤランプ４３を用いるだけで、均一な光を出射させることができる。従って、少数の光源で展示スペースを均一に照明することができるため、低コストとなる。
【００３０】
（導光板の拡散反射領域の変形例）
図４（ａ）〜（ｃ）は、導光板の拡散反射領域の変形例を示す斜視図である。図２に示した拡散反射領域は、図４（ａ）に示すように、導光板４１Ａの裏面に複数のドット形状の突部５１Ａを形成した拡散反射領域５１としてもよく、図４（ｂ）に示すように、導光板４１Ａの裏面に複数のひし型状の突部５２Ａを形成した拡散反射領域５２としてもよく、図４（ｃ）に示すように、導光板４１Ａの裏面に複数の三角形状の突部５３Ａを形成した拡散反射領域５３としてもよい。ＬＥＤランプ４３の指向特性を考慮して突部５１Ａ，５２Ａ，５３Ａのピッチを変更することにより、図２の拡散領域４５，４６，４７と同様に均一な面発光を得ることができる。
【００３１】
［第２の実施の形態］
図５は、本発明の第２の実施の形態に係る照明装置を示す。（ａ）は照明装置により照明されるサンプル缶を示す斜視図、（ｂ）はサンプル缶の内部を示す正面図、（ｃ）は（ａ）のＢ−Ｂ線に沿う断面図、（ｄ）は（ｃ）の高拡散反射領域の構造を示す断面図、（ｅ）は（ｃ）中拡散反射領域の構造を示す断面図、（ｆ）は（ｃ）の低拡散反射領域の構造を示す断面図である。
【００３２】
この照明装置４０Ａは、樹脂およびガラス材等からなる導光板４１Ｂと、導光板４１Ｂの下部に設けられた１個のＬＥＤランプ４３Ａとを備えている。照明装置４０Ａにより照明されるサンプル缶５５にはラベル５６が貼り付けられている。なお、ラベル５６は印刷により形成してもよい。
【００３３】
この導光板４１Ｂの裏面４１ａには、図３に示したようなＬＥＤランプ４３Ａの指向特性を考慮して、高拡散反射領域４５Ａ、中拡散反射領域４６Ａおよび低拡散反射領域４７Ａを形成しているが、第２の実施の形態では、高拡散反射領域４５Ａ、中拡散反射領域４６Ａおよび低拡散反射領域４７Ａは、それぞれ突部４４Ａ間のピッチＰを同一とし、円柱状の突部４４Ａの直径を高拡散反射領域４５Ａでは最も大きく、中拡散反射領域４６Ａでは中程度であり、低拡散反射領域４７Ａでは最も小さくしている。
【００３４】
このように導光板４１Ｂの裏面を加工することにより、導光板４１ＢのＬＥＤランプ４３Ａからの光量の違いに基づく発光バランスをとるように図られている。従って、導光板４１Ｂの全表面からは、ＬＥＤランプ４３Ａからの距離に関係なく均一な光が出射される。なお、高拡散反射領域４５Ａ、中拡散反射領域４６Ａおよび低拡散反射領域４７Ａを形成するための溝４４Ａは、導光板４１Ｂの裏面４１ａに限ることなく、表面側に形成するようにしてもよい。
【００３５】
次に、第２の実施の形態の動作を説明する。図示しない電源スイッチがオンになると、照明装置４０Ａに電源が供給され、ＬＥＤランプ４３Ａが点灯する。ＬＥＤランプ４３Ａの発光光は、端面４２ａから導光板４１Ｂに入射され、導光板４１Ｂ中を反射しながら進行する。進行した光は、高拡散反射領域４５Ａ、中拡散反射領域４６Ａおよび低拡散反射領域４７Ａにより進行方向を変えられて拡散反射光となる。
【００３６】
高拡散反射領域４５Ａに進行した光は、直径の大きい突部４４Ａにより反射される光量は多くなる。また、低拡散反射領域４７Ａに進行した光は、直径が小さい突部４４Ａにより反射される光量は少なくなる。また、中拡散反射領域４６Ａに進行した光は、直径が中程度の突部４４Ａにより反射される光量は中程度となる。従って、導光板４１Ｂの全表面からは、ＬＥＤランプ４３Ａからの距離に関係なく、発光バランスのとれた均一な光が出射されるので、サンプル缶５５に設けられたラベル５６の内容を効果的に伝達することができる。
【００３７】
（第２の実施の形態の効果）
第２の実施の形態によれば、以下の効果を得ることができる。
（イ）導光板４１Ｂの裏面４１ａにＬＥＤランプ４３Ａの指向特性に応じて高拡散反射領域４５Ａ、中拡散反射領域４６Ａおよび低拡散反射領域４７Ａを形成したので、導光板４１Ｂの全表面からは、ＬＥＤランプ４３Ａからの距離に関係なく均一な光を出射させることができる。
（ロ）照明装置４０Ａの光源としては少数のＬＥＤランプ４３Ａを用いるだけで、均一な光を出射させることができる。従って、少数の光源でサンプルを均一に照明することができるので、低コストとなる。
【００３８】
［第３の実施の形態］
図６および図７は、本発明の第３の実施の形態に係る照明装置を示す。図６（ａ）は照明装置および商品見本を示す斜視図、図６（ｂ）は商品見本を示す斜視図、図６（ｃ）は照明装置を示す斜視図、図７（ａ）は図６（ａ）のＣ−Ｃ線に沿う断面図、図７（ｂ）は図６（ｃ）のＤ−Ｄ線に沿う断面図である。
【００３９】
この照明装置４０Ｂは、樹脂およびガラス材等からなる第１の導光板４１Ｃと、第１の導光板４１Ｃの両側位置に遮光板５８を介在して設けられた一対の第２の導光板４１Ｄ，４１Ｄと、第１および第２の導光板４１Ｃ，４１Ｄの裏面４１ａおよび側面に遮光板５８と一体に設けられた反射遮光部材３７と、第１の導光板４１Ｃの下部に設けられた１個のＬＥＤランプ４３Ｂとを備えている。図示していないが、左右一対の第２の導光板４１Ｄの下部にも第１の導光板４１Ｃと同様にそれぞれ１個のＬＥＤランプを備えている。
【００４０】
第１の導光板４１Ｃの表面４１ｂには、透光部材から成る商品見本３８が取り付けられて、商品見本３８には商品に似せるためのラベル５６Ａが貼り付けられている。また、第２の導光板４１Ｄの表面４１ｄにも、新発売、ホット商品、コールド商品等の広告を表示したラベル５６Ｂ、５６Ｃが貼り付けられている。第１および第２の導光板４１Ｃ，４１Ｄの表面４１ｃ，４１ｄには、ＬＥＤランプ４３Ｂからの光を拡散する拡散反射領域（図示せず）が形成される。
【００４１】
第１および第２の導光板４１Ｃ，４１Ｄの表面４１ｃ，４１ｄに形成した拡散反射領域は、第１および第２の実施の形態と同様に、表面４１ｃ，４１ｄから均一な面発光が行えるようにＬＥＤランプ４３Ｂの指向特性に応じて形成されている。
【００４２】
次に、第３の実施の形態の動作を説明する。図示しない電源スイッチがオンになると、照明装置４０Ｂに電源が供給され、ＬＥＤランプ４３Ｂが点灯する。ＬＥＤランプ４３Ｂの発光光は、端面４２ａから第１の導光板４１Ｃに入射され、第１の導光板４１Ｃ中を反射しながら進行する。進行した光は、図示しない拡散反射領域により拡散し、第１の導光板４１Ｃの表面４１ｂから商品見本３８のラベル５６Ａを通じて出射する。一方、第２の導光板４１Ｄの下部のＬＥＤランプの発光光は、第２の導光板４１Ｄに入射され、第２の導光板４１Ｄ中を反射しながら進行する。進行した光は、図示しない拡散反射領域により拡散および反射して、第２の導光板４１Ｄの表面からラベル５６Ｂ，５６Ｃを通じて出射する。
【００４３】
（第３の実施の形態の効果）
第３の実施の形態によれば、以下の効果を得ることができる。
（イ）第１の導光板４１Ｃおよび第２の導光板４１Ｄを、反射遮光部材３７により区切ることで、照明装置４０Ｂを複数のブロックに分け、各ブロックに異なる内容のラベル５６Ａ〜５６Ｃを貼り付け、それぞれＬＥＤランプを点灯することで、ブロックごとにメッセージ性のある内容を表示することができる。
（ロ）照明装置４０Ｂの光源としては導光板毎に少数のＬＥＤランプを用いるだけなので、少数の光源で商品見本やラベル等を均一に照明することができるため、低コストとなる。
【００４４】
［第４の実施の形態］
図８は、本発明の第４の実施の形態に係る照明装置を示す。（ａ）は２つのブロックに分けた照明装置を示す斜視図、（ｂ）は（ａ）のＥ−Ｅ線に沿う断面図、（ｃ）は（ａ）のＦ−Ｆ線に沿う断面図、（ｄ）は（ａ）と内容の異なる広告シートを取り付け２つのブロックに分けた照明装置を示す斜視図、（ｅ）は（ｄ）と大きさの異なる広告シートを取り付け２つのブロックに分けた照明装置を示す斜視図、（ｆ）は３つのブロックに分けた照明装置を示す斜視図である。
【００４５】
照明装置４０Ｃは、樹脂およびガラス材等からなる第１の導光板４１Ｄおよび第２の導光板４１Ｅが、反射遮光部材３７Ａと一体化された図示しない遮光板および反射遮光部材により区切られて２つのブロックに分けられ、１つのブロックには“大人気”を表す広告シート３９が取り付けられる一方、他のブロックには透光部材から成る商品見本３８Ａが取り付けられて、商品見本３８Ａにはラベル５６Ｄが貼り付けられている。また、各ブロックの導光板４１Ｄ、４１Ｅの下部の中央の基板３０上には、それぞれＬＥＤランプ４３Ｃ、４３Ｄが設けられている。さらに、他のブロックの商品見本３８Ａの上下位置には遮光板５８Ａが設けられている。
【００４６】
第１および第２の導光板４１Ｄ，４１Ｅの表面には、その表面から均一な面発光が行えるようにＬＥＤランプ４３Ｃ，４３Ｄの指向特性に応じた拡散反射領域が第１および第２の実施の形態と同様に形成されている。
【００４７】
複数のＬＥＤランプ４３Ｂ、４３Ｄは、同色を発光するＬＥＤランプの組み合わせでもよく、あるいは赤色系、緑色系、青色系の光を発光するＬＥＤランプの組み合わせ、さらには他の色を発光するＬＥＤランプの組み合わせであってもよい。
【００４８】
図８（ｄ），（ｅ）に示す照明装置４０Ｃ、４０Ｅは、１つのブロックにはそれぞれメッセージを含んだ広告シート３９Ａ、３９Ｂが取り付けられる一方、他のブロックには透光部材から成る商品見本３８Ｂ、３８Ｃが取り付けられて、商品見本３８Ｂ、３８Ｃにはラベル５６Ｅ、５６Ｆが貼り付けられている。照明装置４０Ｄの広告シート３９Ａよりも、照明装置４０Ｅの広告シート３９Ｂは広い幅に設けられている。他の構成は照明装置４０Ｃと略同様である。
【００４９】
図８（ｆ）に示す照明装置４０Ｆは、商品見本３８Ｄの広告シート３９Ｃの反対側に広告シート３９Ｄが設けられている点が、照明装置４０Ｄ、４０Ｅと異なっている。
【００５０】
（第４の実施の形態の効果）
第４の実施の形態によれば、以下の効果を得ることができる。
（イ）第１の導光板４１Ｄおよび第２の導光板４１Ｅを、反射遮光部材３７Ａにより区切ることで照明装置４０Ｃを複数のブロックに分けたので、各ブロックにそれぞれ広告シート３９およびラベル５６Ｄを取り付けて点灯パターンを変えることで、各ブロックごとに発光表現を異ならせることができる。
（ロ）照明装置４０Ｃの光源として複数のＬＥＤランプ４３Ｃ、４３Ｄを用いて、それぞれに異なる色の光を発光させることで、メッセージ性のある内容を効果的に伝達することができる。これらの効果は、照明装置４０Ｄ〜４０Ｆにおいても同様に得ることができる。
【００５１】
［第５の実施の形態］
図９は、本発明の第５の実施の形態に係る照明装置を示し、（ａ）は照明装置を示す斜視図、（ｂ）は（ａ）のＧ−Ｇ線に沿う断面図、（ｃ）は表示シートを変えた照明装置を示す斜視図である。
【００５２】
この照明装置４０Ｇは、樹脂およびガラス材等からなる導光板４１Ｆと、導光板４１Ｆの裏面４１ａ、上面および側面に設けられた反射遮光部材３７Ｂと、導光板４１Ｆの下部４１ｆの中央に少数のＬＥＤランプ４３Ｅが位置するようにＬＥＤランプ４３Ｅを搭載した基板３０Ａとを備えている。
【００５３】
導光板４１Ｆの表面４１ｂの上部４１ｅには、第１および第２の実施の形態のように拡散反射領域が形成され、その上に透光部材から成る商品見本３８Ｅが取り付けられて、商品見本３８Ｅにはラベル５６Ｈが貼り付けられている一方、下部４１ｆには“ＨＯＴ”を表す表示シート４９が貼り付けられている。また、商品見本３８Ｅの側部および下部周辺には遮光板５８Ｂが設けられている。
【００５４】
図９（ｃ）に示す照明装置４０Ｇは、“ＨＯＴ”を表す表示シート４９に代えて、“ＣＯＬＤ”を表す表示シート４９Ａを取り付けた例を示している。
【００５５】
（第５の実施の形態の効果）
第５の実施の形態によれば、以下の効果を得ることができる。
（イ）導光板４１Ｆの上部４１ｅにラベル５６Ｈを貼り付けた透光部材から成る商品見本３８Ｅを取り付ける一方、下部４１ｆには表示シート４９、４９Ａを貼り付けたので、メッセージ性のある内容を表示することができる。
（ロ）照明装置４０Ｇの光源としては少数のＬＥＤランプ４３Ｅで商品見本３８Ｅおよび表示シート４９を均一に照明することができるため、低コストとなる。
【００５６】
［第６の実施の形態］
図１０は、本発明の第６の実施の形態に係る照明装置を示し、（ａ）は３つのブロックに分けた照明装置を示す斜視図、（ｂ）はＬＥＤランプを取り外した照明装置を示す斜視図、（ｃ）は（ａ）と異なる広告シートを取り付け３つのブロックに分けた照明装置を示す斜視図である。
【００５７】
この照明装置４０Ｈは、樹脂およびガラス材等からなる導光板４１Ｈが、遮光板５８，５８により上下方向に区切られて３つのブロックに分けられ、各ブロックにはそれぞれ広告シート３９Ｅ，３９Ｆ，３９Ｇが取り付けられている。また、各ブロックにはそれぞれ基板３０Ｂ上にＬＥＤランプ４３Ｆ，４３Ｇ，４３Ｈが設けられている。（ｃ）の照明装置４０Ｈのように、（ａ）よりも各ブロックの幅を狭くして、例えば、中段のブロックに“新発売”を表す広告シート３９Ｆを取り付けることもできる。
【００５８】
第６の実施の形態によれば、以下の効果を得ることができる。
（イ）導光板を遮光板で区切ることで照明装置４０Ｈを複数のブロックに分けたので、各ブロックにそれぞれ広告シート３９Ｅ，３９Ｆ，３９Ｇを取り付けて点灯パターンを変えることで、各ブロックごとに発光表現を異ならせることができる。
（ロ）照明装置４０Ｈの光源として複数のＬＥＤランプ４３Ｆ，４３Ｇ，４３Ｈを用いて、それぞれに異なる色の光を発光させることで、メッセージ性のある内容を効果的に伝達することができる。
【００５９】
［第７の実施の形態］
図１１は、本発明の第７の実施の形態に係る照明装置を示し、（ａ）は３つのブロックに分けた照明装置を示す斜視図、（ｂ）は（ａ）とは異なる配置で３つのブロックに分けた照明装置を示す斜視図、（ｃ）は２つのブロックに分けた照明装置を示す斜視図である。
【００６０】
図１１（ａ）に示す照明装置４０Ｊは、樹脂およびガラス材等からなる導光板４１Ｊが、遮光板５８，５８により左右方向に区切られて３つのブロックに分けられ、各ブロックにはそれぞれ“新発売”を表す一部が円弧状の広告シート３９Ｈ、楕円形状の広告シート３９Ｊおよび長方形状の広告シート３９Ｋが取り付けられている。また、各ブロックの下方にはそれぞれ基板３０Ｃ上にＬＥＤランプ４３Ｊ〜４３Ｌが設けられている。
【００６１】
図１１（ｂ）に示す照明装置４０Ｋは、樹脂およびガラス材等からなる導光板４１Ｋが遮光板５８，５８により上下左右方向に区切られて３つのブロックに分けられ、各ブロックにはそれぞれ広告シート３９Ｌ、“新発売”を表す広告シート３９Ｍおよび広告シート３９Ｎが取り付けられている。また、ブロックの左側方にはそれぞれ基板３０Ｄ上にＬＥＤランプ４３Ｍ、４３Ｎが設けられ、下方には基板３０Ｅ上にＬＥＤランプ４３Ｐが設けられている。
【００６２】
図１１（ｃ）に示す照明装置４０Ｌは、樹脂およびガラス材等からなる導光板４１Ｌが、遮光板５８，５８により区切られて２つのブロックに分けられ、各ブロックにはそれぞれ三角状の広告シート３９Ｐ、３９Ｑが取り付けられている。また、ブロックの左側方には基板３０Ｆ上にＬＥＤランプ４３Ｑが設けられ、下方には基板３０Ｇ上にＬＥＤランプ４３Ｒが設けられている。
【００６３】
（第７の実施の形態の効果）
第７の実施の形態によれば、以下の効果を得ることができる。
（イ）導光板４１Ｊを遮光板５８，５８で区切ることで照明装置４０Ｊを複数のブロックに分けたので、各ブロックにそれぞれ広告シート３９Ｈ，３９Ｊ，３９Ｋを取り付けて点灯パターンを変えることで、各ブロックごとに発光表現を異ならせることができる。
（ロ）照明装置４０Ｊの光源として複数のＬＥＤランプ４３Ｍ，４３Ｎ，４３Ｐを用いて、それぞれに異なる色の光を発光させることで、メッセージ性のある内容を効果的に伝達することができる。これらの効果は、照明装置４０Ｋ、４０Ｌにおいても同様に得ることができる。
【００６４】
［他の実施の形態］
以上、本発明の実施の形態を詳述してきたが、具体的な構成は各実施形態に限られるものではなく、本発明の要旨を逸脱しない範囲の設計の変更などがあっても本発明に含まれる。例えば、各実施の形態の照明装置では、ＬＥＤランプから遠くて光量が少ない位置に形成されて光の光量を多く反射するように作用する高拡散反射領域、ＬＥＤランプから近くて光量が多い位置に形成されて光の光量を少なく反射するように作用する低拡散反射領域および高拡散反射領域と低拡散反射領域との間の位置に形成されて光の光量を中程度に反射するように作用する中拡散反射領域を形成した例で説明したが、中拡散反射領域は必ずしも形成しなくともよい。
【００６５】
また、ＬＥＤランプを複数用いる実施の形態では、ＬＥＤランプの指向特性を生かすことによって、より少ない個数で光源を構成することができるので、ＬＥＤランプのメリットである省エネルギー化、省スペース化および低コスト化を実現することができる。この場合の、ＬＥＤランプの個数は目的、用途などに応じて選ぶことができる。
【図面の簡単な説明】
【００６６】
【図１】本発明の第１の実施の形態に係る照明装置を適用した自動販売機を示す斜視図である。
【図２】本発明の第１の実施の形態に係る照明装置を示し、（ａ）は正面図、（ｂ）は（ａ）のＡ−Ａ線に沿う断面図、（ｃ）は（ｂ）の高拡散反射領域の構造を示す断面図、（ｄ）は（ｂ）の中拡散反射領域の構造を示す断面図、（ｅ）は（ｂ）の低拡散反射領域の構造を示す断面図である。
【図３】ＬＥＤランプの指向特性を示す図である。
【図４】（ａ）〜（ｃ）は、導光板の拡散反射領域の変形例を示す斜視図である。
【図５】本発明の第２の実施の形態に係る照明装置を示し、（ａ）は照明装置により照明されるサンプル缶を示す斜視図、（ｂ）はサンプル缶の内部を示す正面図、（ｃ）は（ａ）のＢ−Ｂ線に沿う断面図、（ｄ）は（ｃ）の高拡散反射領域の構造を示す断面図、（ｅ）は（ｃ）中拡散反射領域の構造を示す断面図、（ｆ）は（ｃ）の低拡散反射領域の構造を示す断面図である。
【図６】本発明の第３の実施の形態に係る照明装置を示し、（ａ）は照明装置および商品見本を示す斜視図、図６（ｂ）は商品見本を示す斜視図、図６（ｃ）は照明装置を示す斜視図である。
【図７】本発明の第３の実施の形態に係る照明装置を示し、（ａ）は図６（ａ）のＣ−Ｃ線に沿う断面図、（ｂ）は図６（ｃ）のＤ−Ｄ線に沿う断面図である。
【図８】本発明の第４の実施の形態に係る照明装置を示し、（ａ）は２つのブロックに分けた照明装置を示す斜視図、（ｂ）は（ａ）のＥ−Ｅ線に沿う断面図、（ｃ）は（ａ）のＦ−Ｆ線に沿う断面図、（ｄ）は（ａ）と内容の異なる広告シートを取り付け２つのブロックに分けた照明装置を示す斜視図、（ｅ）は（ｄ）と大きさの異なる広告シートを取り付け２つのブロックに分けた照明装置を示す斜視図、（ｆ）は３つのブロックに分けた照明装置を示す斜視図である。
【図９】本本発明の第５の実施の形態に係る照明装置を示し、（ａ）は照明装置を示す斜視図、（ｂ）は（ａ）のＧ−Ｇ線に沿う断面図、（ｃ）は表示シートを変えた照明装置を示す斜視図である。
【図１０】本発明の第６の実施の形態に係る照明装置を示し、（ａ）は３つのブロックに分けた照明装置を示す斜視図、（ｂ）はＬＥＤランプを取り外した照明装置を示す斜視図、（ｃ）は（ａ）と異なる広告シートを取り付け３つのブロックに分けた照明装置を示す斜視図である。
【図１１】本発明の第７の実施の形態に係る照明装置を示し、（ａ）は３つのブロックに分けた照明装置を示す斜視図、（ｂ）は（ａ）とは異なる配置で３つのブロックに分けた照明装置を示す斜視図、（ｃ）は２つのブロックに分けた照明装置を示す斜視図である。
【図１２】従来の照明装置を示し、（ａ）は商品見本から取り外した商品見本を示す斜視図、（ｂ）は（ａ）のＪ−Ｊ線に沿う断面図である。
【符号の説明】
【００６７】
１    自動販売機
２    自動販売機本体
３    主扉
４    サンプル
５    サブパネル
６    選択ボタン
７    現金投入部
１０    釣銭返却口
１２    商品販売口
１５    広告表示板
１６    サンプル台
３０，３０Ａ〜３０Ｇ    基板
３１    透明パネル
３２    展示スペース
３７Ａ，３７Ｂ    反射遮光部材
３７ａ    内面
３８，３８Ａ〜３８Ｅ    商品見本
３９，３９Ａ〜３９Ｈ，３９Ｊ〜３９Ｎ，３９Ｐ〜３９Ｒ    広告シート
４０，４０Ａ〜４０Ｈ，４０Ｊ〜４０Ｌ    照明装置
４１，４１Ａ〜４１Ｈ，４１Ｊ〜４１Ｌ    導光板
４１ａ    裏面
４１ｂ，４１ｄ  表面
４１ｅ    上部
４１ｆ    下部
４２ａ    端面
４３，４３Ａ〜４３Ｈ，４３Ｊ〜４３Ｎ，４０Ｐ〜４０Ｒ    ＬＥＤランプ
４４，４４Ａ    溝
４５，４５Ａ    高拡散反射領域
４６，４６Ａ    中拡散反射領域
４７，４７Ａ    低拡散反射領域
４８    広告シート
４９，４９Ａ    表示シート
５１〜５３  拡散反射領域
５５    サンプル缶
５６，５６Ａ〜５６Ｈ    ラベル
５８，５８Ａ，５８Ｂ    遮光板
【図１】
2007025990.tif 000003
【図２】
2007025990.tif 000004
【図３】
2007025990.tif 000005
【図４】
2007025990.tif 000006
【図５】
2007025990.tif 000007
【図６】
2007025990.tif 000008
【図７】
2007025990.tif 000009
【図８】
2007025990.tif 000010
【図９】
2007025990.tif 000011
【図１０】
2007025990.tif 000012
【図１１】
2007025990.tif 000013
【図１２】
2007025990.tif 000014